【手続補正書】
【提出日】令和1年7月26日(2019.7.26)
【手続補正１】
【補正対象書類名】明細書
【補正対象項目名】００７７
【補正方法】変更
【補正の内容】
【００７７】
本発明のある特定の実施形態を説明してきたが、他の実施形態も存在し得る。本明細書は詳細な説明を含むが、本発明の範囲は以下の特許請求の範囲によって示される。上記の特定の特徴及び行為は、本発明の例示的な態様及び実施形態として開示される。様々な他の態様、実施形態、修正、及びそれらの等価物は、本明細書の説明の読後、本発明の主旨または特許請求される主題の範囲から逸脱することなく当業者には連想され得る。本発明の実施形態の例を以下の項目［１］〜［２６］に列記する。
［１］
機器の定置洗浄方法であって、前記方法は、複数の洗浄サイクル、及び任意選択のすすぎを含み、前記複数の洗浄サイクルが、３つ以上の洗浄サイクルを含み、各洗浄サイクルが、
（ａ）第１の洗浄溶液を第１の供給タンクから第１のノズルセットを通して適用することと、
（ｂ）第２の洗浄溶液を第２の供給タンクから第２のノズルセットを通して適用することと、を含む、方法。
［２］
前記機器が、乾燥機、タンク、冷却塔、オーブン、またはベルトから選択される、項目１に記載の方法。
［３］
前記機器が、噴霧乾燥機を含む、項目１または２のいずれか一項に記載の方法。
［４］
ステップ（ａ）は第１の時間を構成し、ステップ（ｂ）は前記第１の時間より長い第２の時間を構成する、項目１〜３のいずれか一項に記載の方法。
［５］
前記第１の時間が、約２０秒〜約１０分である、項目４に記載の方法。
［６］
前記第２の時間が、約１分〜約６０分である、項目４または５に記載の方法。
［７］
前記第１の時間が、約３０秒〜約５分である、項目４〜６のいずれか一項に記載の方法。
［８］
前記第２の時間が、約５分〜約２０分である、項目４〜７のいずれか一項に記載の方法。
［９］
前記複数の洗浄サイクルが、５〜１５０サイクルを含む、項目１〜８のいずれか一項に記載の方法。
［１０］
前記複数の洗浄サイクルが、１０〜１００サイクルを含む、項目１〜９のいずれか一項に記載の方法。
［１１］
前記第２のノズルセットが、高圧ノズルを含む、項目１〜１０のいずれか一項に記載の方法。
［１２］
前記第１のノズルセットが、非加圧ノズルで構成される、項目１〜１１のいずれか一項に記載の方法。
［１３］
前記第１及び第２の洗浄溶液が、前記第２の供給タンク中に再循環させられる、項目１〜１２のいずれか一項に記載の方法。
［１４］
前記第１及び第２の洗浄溶液が、有効成分を含み、前記第１の洗浄溶液が、前記第２の洗浄溶液よりも高い濃度の有効成分を含む、項目１〜１３のいずれか一項に記載の方法。
［１５］
前記第１の洗浄溶液中の前記有効成分の前記濃度が、約４〜約２０重量％である、項目１４に記載の方法。
［１６］
前記第２の洗浄溶液中の前記有効成分の前記濃度が、約０．１〜約５重量％である、項目１４に記載の方法。
［１７］
前記第１の洗浄溶液が、汚れ崩壊効果を提供する薬剤を含む、項目１〜１６のいずれか一項に記載の方法。
［１８］
前記第１の洗浄溶液が、一つ又は複数のペルオキシジェン化合物を含む、項目１〜１７のいずれか一項に記載の方法。
［１９］
前記ペルオキシジェン化合物が、過酸化水素、過カルボン酸、過硫酸塩、過ホウ酸塩、過炭酸塩、またはこれらの混合物である、項目１８に記載の方法。
［２０］
前記第１の洗浄溶液が、酸を含む、項目１〜１９のいずれか一項に記載の方法。
［２１］
前記第１の洗浄溶液が、ガス生成剤を含む、項目１〜２０のいずれか一項に記載の方法。
［２２］
前記ガス生成剤が、二酸化炭素または酸素を生成する、項目２１に記載の方法。
［２３］
前記第２の洗浄溶液が、金属水酸化物を含む、項目１〜２２のいずれか一項に記載の方法。
［２４］
前記第１及び第２の洗浄溶液のうちの一方または両方が、界面活性剤を含む、項目１〜２３のいずれか一項に記載の方法。
［２５］
前記第１及び第２の洗浄溶液のうちの一方または両方が、ビルダーを含む、項目１〜２４のいずれか一項に記載の方法。
［２６］
前記第１及び第２の洗浄溶液の一方または両方が、溶媒を含む、項目１〜２５のいずれか一項に記載の方法。
【手続補正２】
【補正対象書類名】特許請求の範囲
【補正対象項目名】全文
【補正方法】変更
【補正の内容】
【特許請求の範囲】
【請求項１】
機器の定置洗浄方法であって、前記方法は、複数の洗浄サイクルを含み、前記複数の洗浄サイクルが、３つ以上の洗浄サイクルを含み、各洗浄サイクルが、
（ａ）第１の洗浄溶液を第１の供給タンク（１２１）から第１のノズルセット（１２８）を通して適用することと、
（ｂ）第２の洗浄溶液を第２の供給タンク（１３１）から第２のノズルセット（１３８）を通して適用することと、を含む、方法。
【請求項２】
前記機器が、乾燥機、タンク、冷却塔、オーブン、またはベルトから選択される、請求項１に記載の方法。
【請求項３】
前記機器が、噴霧乾燥機（１００）を含む、請求項１または２のいずれか一項に記載の方法。
【請求項４】
ステップ（ａ）は第１の時間を構成し、ステップ（ｂ）は前記第１の時間より長い第２の時間を構成する、請求項１〜３のいずれか一項に記載の方法。
【請求項５】
前記第１の時間が、２０秒〜１０分であり、前記第２の時間が、１分〜６０分である、請求項４に記載の方法。
【請求項６】
前記第１の時間が、３０秒〜５分であり、前記第２の時間が、５分〜２０分である、請求項４に記載の方法。
【請求項７】
前記複数の洗浄サイクルが、５〜１５０サイクル、好ましくは１０〜１００サイクルを含む、請求項１〜６のいずれか一項に記載の方法。
【請求項８】
前記第１のノズルセット（１２８）が、非加圧ノズルで構成され、前記第２のノズルセット（１３８）が、高圧ノズルを含む、請求項１〜７のいずれか一項に記載の方法。
【請求項９】
前記第１及び第２の洗浄溶液が、前記第２の供給タンク（１３１）中に再循環させられる、請求項１〜８のいずれか一項に記載の方法。
【請求項１０】
前記第１及び第２の洗浄溶液が、有効成分を含み、前記第１の洗浄溶液が、前記第２の洗浄溶液よりも高い濃度の有効成分を含む、請求項１〜９のいずれか一項に記載の方法。
【請求項１１】
前記第１の洗浄溶液中の前記有効成分の前記濃度が、４〜２０重量％であり、前記第２の洗浄溶液中の前記有効成分の前記濃度が、０．１〜５重量％である、請求項１０に記載の方法。
【請求項１２】
前記第１の洗浄溶液が、汚れ崩壊効果を提供する薬剤を含む、請求項１〜１１のいずれか一項に記載の方法。
【請求項１３】
前記第１の洗浄溶液が、一つ又は複数のペルオキシジェン化合物を含む、請求項１〜１２のいずれか一項に記載の方法。
【請求項１４】
前記ペルオキシジェン化合物が、過酸化水素、過カルボン酸、過硫酸塩、過ホウ酸塩、過炭酸塩、またはこれらの混合物である、請求項１３に記載の方法。
【請求項１５】
前記第１の洗浄溶液が、酸及び／又はガス生成剤を含む、請求項１〜１４のいずれか一項に記載の方法。
【請求項１６】
前記第１の洗浄溶液がガス生成剤を含み、前記ガス生成剤が、二酸化炭素または酸素を生成する、請求項１５に記載の方法。
【請求項１７】
前記第２の洗浄溶液が、金属水酸化物を含む、請求項１〜１６のいずれか一項に記載の方法。
【請求項１８】
前記第１及び第２の洗浄溶液のうちの一方または両方が、界面活性剤、ビルダー及び／又は溶媒を含む、請求項１〜１７のいずれか一項に記載の方法。